(57)【要約】【課題】例えナイロンスリングからＡＬＣパネルが滑り落ちることがあっても、ＡＬＣパネルが地面上に落下して破損したり、作業員の安全を阻害したりすることを確実に防止し、安全に吊り上げ作業を完遂可能なＡＬＣパネルの吊り上げ方法を提供する。【解決手段】表面にタイル２３が貼着されたＡＬＣパネル1の外周に、クレーンのフック２に係止されたナイロンスリング３を巻着させてＡＬＣパネル１を吊り上げるに際し、チェーン１１の一端にパネル壁面に開口している埋設アンカー金具の係合部２１と連結する吊り手１２を、他端に前記クレーンのフック２と連結するリング１３を備えた連結部材１０を、前記埋設アンカー金具の係合部２１とクレーンのフック２との間に介在させ、前記連結部材１０のチェーン１１が緩んだ状態でＡＬＣパネル1を吊り上げることを特徴とするＡＬＣパネルの吊り上げ方法。【選択図】図２
2008240419.tif 000002
【特許請求の範囲】
【請求項１】
表面にタイルが貼着された又はホーロー調塗装仕上げされたＡＬＣパネルの外周に、クレーンのフックに係止されたナイロンスリングを巻着させてＡＬＣパネルを吊り上げるに際し、チェーンの一端にパネル壁面に開口している埋設アンカー金具の係合部と連結する吊り手を、他端に前記クレーンのフックと連結するリングを備えた連結部材を、前記埋設アンカー金具の係合部とクレーンのフックとの間に介在させ、前記連結部材のチェーンが緩んだ状態でＡＬＣパネルを吊り上げることを特徴とするＡＬＣパネルの吊り上げ方法。
【請求項２】
前記連結部材のチェーンが長さ調整可能なリングチェーンであることを特徴とする請求項１に記載のＡＬＣパネルの吊り上げ方法。
【請求項３】
前記埋設アンカー金具の係合部にパネル壁面を押圧する板材が締結されており、この板材に連結部材の吊り手を係止することを特徴とする請求項１または２に記載のＡＬＣパネルの吊り上げ方法。
【請求項４】
前記板材がＬ型鋼であることを特徴とする請求項３に記載のＡＬＣパネルの吊り上げ方法。
【請求項５】
前記ＡＬＣパネルがコーナーパネルであることを特徴とする請求項１〜４のいずれか１項に記載のＡＬＣパネルの吊り上げ方法。
【発明の詳細な説明】
【技術分野】
【０００１】
本発明は、パネル表面にタイルが貼着された又はホーロー調塗装仕上げされたＡＬＣパネルを、高層建築物の外壁に取り付けるために、ナイロンスリングを利用して吊り上げる方法に関するものである。
さらに詳しくは、例えナイロンスリングからＡＬＣパネルが滑り落ちることがあっても、ＡＬＣパネルが地面上に落下して破損したり、作業員の安全を阻害したりすることを確実に防止し、安全に吊り上げ作業を完遂可能なＡＬＣパネルの吊り上げ方法に関するものである。
【背景技術】
【０００２】
従来、ＡＬＣパネルを高層建築現場の施工個所へ取り付けるために吊り上げる手段としては、図１に示したように、ＡＬＣパネル１の外周に、クレーンのフック２に係止されたナイロンスリング３を単に巻着させた状態で吊り上げる方法（例えば、特許文献１参照）が一般的であった。
【０００３】
この従来方法によれば、ＡＬＣパネル１の素地表面に微細な気泡が露出しており、その摩擦力が強いために、パネルがナイロンスリング３から滑り落ちる危険がなく、安全にパネルの吊り上げ作業を行うことが可能であった。
【０００４】
しかし、近年では、意匠性の向上と工期の短縮のために、工場でパネル表面に予めタイルが貼着された又はホーロー調塗装仕上げされたＡＬＣパネルが出荷されるようになってきており、またそのタイル又はホーロー調塗装仕上げされた表面に対しても、意匠性の一層の向上のために、より滑らかな表面処理がなされるようになっている。
【０００５】
そのために、このような表面にタイルが貼着された又はホーロー調塗装仕上げされたＡＬＣパネルを、その外周にナイロンスリングを巻着させた従来と同じ方法で吊り上げようとすると、ナイロンスリングからＡＬＣパネルが滑り落ちてしまい、ＡＬＣパネルが地面上に落下して破損したり、作業員の安全を阻害したりすることが問題視されていた。
【特許文献１】実開平６−５８０５２号公報
【発明の開示】
【発明が解決しようとする課題】
【０００６】
本発明は、上述した先行技術における問題点の解決を課題として検討した結果達成されたものである。
【０００７】
したがって、本発明の目的は、例えナイロンスリングからＡＬＣパネルが滑り落ちることがあっても、ＡＬＣパネルが地面上に落下して破損したり、作業員の安全を阻害したりすることを確実に防止し、安全に吊り上げ作業を完遂可能なＡＬＣパネルの吊り上げ方法を提供することにある。
【課題を解決するための手段】
【０００８】
上記の目的を達成するために本発明によれば、表面にタイルが貼着された又はホーロー調塗装仕上げされたＡＬＣパネルの外周に、クレーンのフックに係止されたナイロンスリングを巻着させてＡＬＣパネルを吊り上げるに際し、チェーンの一端にパネル壁面に開口している埋設アンカー金具の係合部と連結する吊り手を、他端に前記クレーンのフックと連結するリングを備えた連結部材を、前記埋設アンカー金具の係合部とクレーンのフックとの間に介在させ、前記連結部材のチェーンが緩んだ状態でＡＬＣパネルを吊り上げることを特徴とするＡＬＣパネルの吊り上げ方法が提供される。
【０００９】
なお、本発明のＡＬＣパネルの吊り上げ方法においては、
前記連結部材のチェーンが長さ調整可能なリングチェーンであること、
前記埋設アンカー金具の係合部にパネル壁面を押圧する板材が締結されており、この板材に連結部材の吊り手を係止すること、
前記板材がＬ型鋼であること、
および
前記ＡＬＣパネルがコーナーパネルであることが、いずれも好ましい条件として挙げられる。
【発明の効果】
【００１０】
本発明によれば、以下に説明するとおり、ナイロンスリングと共に連結部材を使用しているために、例えナイロンスリングからＡＬＣパネルが滑り落ちることがあっても、連結部材によりＡＬＣパネルの吊り上げ状態を保持することができ、ＡＬＣパネルが地面上に落下して破損したり、作業員の安全を阻害したりする危険を確実に防止することができる。
【００１１】
したがって、本発明によれば、表面にタイルが貼着された又はホーロー調塗装仕上げされたＡＬＣパネルの吊り上げ作業を安全に完遂可能である。
【発明を実施するための最良の形態】
【００１２】
以下に、図面にしたがって本発明を詳細に説明する。
図１は本発明で使用する連結部材の一例を示す正面図、図２はこの連結部材を使用してＡＬＣパネルの吊り上げ作業を行っている状態を示す説明図である。
【００１３】
図１に示したように、本発明で使用する連結部材１０は、チェーン１１の一端にパネル壁面に開口している埋設アンカー金具の係合部２１と連結する吊り手１２を、またこのチェーン１１の他端にクレーンのフック２と連結するリング１３を備えたものである。
【００１４】
ここで、チェーン１１は、図示したようにリングをつけ替えることで長さ調整可能なリングチェーンであることが望ましい。
【００１５】
また、埋設アンカー金具の係合部２１にはパネル壁面を押圧する板材２２が締結されており、この板材２２に連結部材１０の吊り手１２を係止するように構成されていることが望ましく、この場合には、板材２２がＬ型鋼であると、コーナーパネル状のＡＬＣパネルの吊り上げ作業が一層容易に行えることから、さらに望ましい。
【００１６】
上記の連結部材１０を使用して、表面にタイル２３が貼着されたＡＬＣパネル１を実際に吊り上げるに際しては、図２に示したように、まず連結部材１０を、埋設アンカー金具の係合部２１とクレーンのフック２との間に介在させ、連結部材１０の吊り手１２とＡＬＣパネル１側の係合部２１、および連結部材１０のリング１３とクレーンのフック２とをしっかり係合させる。
【００１７】
次いで、クレーンのフック２を上昇させてＡＬＣパネル１を吊り上げる際には、連結部材１０のチェーン１１が緩んだ状態で吊り上げることが重要である。
【００１８】
ここで、連結部材１０のチェーン１１が緩んでいない状態でＡＬＣパネル１を吊り上げた場合には、パネルの自重を埋設アンカー金具の係合部２１が負担することになるため、風による揺れなどでパネルが激しく動いたりすると、埋設アンカー金具周辺のパネル部分に傷を生じたり、あるいは係合部がパネルから外れたりして、パネル１の確実な落下防止効果が阻害されるため好ましくない。
【００１９】
このようにしてＡＬＣパネル１の吊り上げ作業を行うことにより、例えナイロンスリング３からＡＬＣパネル１が滑り落ちることがあったとしても、この場合には、連結部材１０によりＡＬＣパネル１の吊り上げ状態を保持することができ、ＡＬＣパネル１が地面上に落下して破損したり、作業員の安全を阻害したりする危険を確実に防止することができるのである。
【産業上の利用可能性】
【００２０】
以上説明したように、本発明によれば、表面にタイルが貼着された又はホーロー調塗装仕上げされたＡＬＣパネルの吊り上げ作業を安全に完遂可能であることから、ＡＬＣパネルを使用する建築施工現場への採用が大いに期待される。
【図面の簡単な説明】
【００２１】
【図１】本発明で使用する連結部材の一例を示す正面図。
【図２】図１の連結部材を使用してＡＬＣパネルの吊り上げ作業を行っている状態を示す説明図。
【図３】従来のＡＬＣパネルの吊り上げ作業を行っている状態を示す説明図。
【符号の説明】
【００２２】
１  ＡＬＣパネル
２  クレーンのフック
３  ナイロンスリング
１０  連結部材
１１  チェーン
１２  吊り手
１３  リング
２１  埋設アンカー金具の係合部
２２  板材
【図１】
2008240419.tif 000003
【図２】
2008240419.tif 000004
【図３】
2008240419.tif 000005